(57)【特許請求の範囲】
【請求項１】
矩形状のボックス体として形成され大容量の情報を記憶する記億装置と、  前記記憶装置が固定的に取付けられる板状体として形成された記憶装置取付具とにより構成された記憶装置ユニットを備えてなる電子機器において、  上面、下面、左側面、右側面、前面および後面を有し、前，後方向に延びると共に、前，後方向の前側に開口部を有する枠状に形成され、前記記憶装置ユニットが前記開口部から抜差しされるガイド枠と、  前記記憶装置に電気的に着脱可能に接続されるコネクタを有し、前記ガイド枠の前，後方向の他方側に取付けられるコネクタ基板と、  上面、下面、左側面、右側面、前面および後面を有し前，後方向に延びるボックス体として形成され、内部に前記ガイド枠を収容する収容ボックスと、  前記ガイド枠を前記収容ボックス内に収容し、前記記憶装置ユニットと前記コネクタ基板のコネクタとを接続した状態で、前記収容ボックスの前，後方向の前側から前記記憶装置ユニットを前記ガイド枠に固定する記憶装置ユニット固定部材と、  前記ガイド枠の上面と前記収容ボックスの上面との間に設けられ前記記憶装置ユニットを内部に収容した前記ガイド枠を前記収容ボックスに対して弾性的に支持する上防振部材と、  前記ガイド枠の下面と前記収容ボックスの下面との間に設けられ前記記憶装置ユニットを内部に収容した前記ガイド枠を前記収容ボックスに対して弾性的に支持する下防振部材とを備え、 前記記憶装置ユニットは、前記収容ボックス内に弾性的に支持された前記ガイド枠に対し前記開口部を通じて独立して抜差し可能となっており、 前記記憶装置取付具は、前記記憶装置の側面が取付けられる側面板と、前記側面板の上端部から前記記憶装置側に張出す上フランジ板と、前記側面板の下端部から前記記憶装置側に張出す下フランジ板と、前記側面板の前端部に設けられ前記記憶装置の前面と対面する前面板とにより構成され、 前記記憶装置取付具の前面板には、前記記憶装置ユニット固定部材が軸方向に抜止めされた状態で回転可能に支持され、 前記ガイド枠内には、前記ガイド枠内に前記記憶装置ユニットを抜差しするときに前記記憶装置取付具の上フランジ板および下フランジ板をガイドするガイドレールが設けられ、 前記記憶装置ユニットを前記ガイド枠内に収容した状態で、前記記憶装置取付具の前面板は、前記記憶装置ユニット固定部材によって前記ガイド枠の前面に固定されることを特徴とする電子機器。
【請求項２】
前記上防振部材は、前記ガイド枠の上面と前記収容ボックスの上面との間に配置された上防振体と、前記上防振体を前記ガイド枠に固定する上防振体固定具とにより構成し、  前記下防振部材は、前記ガイド枠の下面と前記収容ボックスの下面との間に配置された下防振体と、前記下防振体を前記ガイド枠に固定する下防振体固定具とにより構成してなる請求項１に記載の電子機器。
【発明の詳細な説明】
【技術分野】
【０００１】
本発明は、大容量の情報を記憶する手段として、例えばＨＤＤ、ＳＤＤ、ＣＦカード等の記憶装置を収容する収容ボックスを備えた電子機器、特に、収容ボックスから記憶装置への振動の伝達を抑制した電子機器に関する。
【背景技術】
【０００２】
パーソナルコンピュータ、ビデオデッキ、ビデオカメラ等に搭載される記憶装置として、ＨＤＤ（ハードディスクドライブ）、ＳＤＤ（ソリッドステートドライブ）、ＣＦカード等が広く採用されている。ここで、記憶装置としてＨＤＤを搭載したパーソナルコンピュータは、一般に、本体部を構成する筺体（ケース）を有し、この筺体の内部には、ドライブ・ベイ等と呼ばれるＨＤＤ収容空間が設けられている。そして、ＨＤＤは、筺体のＨＤＤ収容空間内に収容され、ＨＤＤの交換、点検等の保守作業を行うときには、ＨＤＤ収容空間から筺体の外部に取出される。
【０００３】
ところで、ＨＤＤは、記憶容量が大きく情報の記録密度が大きいため、情報の読み書きを行うヘッドの位置決めには高精度を要する。従って、ＨＤＤは、外部からの振動や衝撃に対して脆弱であり、筺体のＨＤＤ収容空間内に収容されたＨＤＤに振動が伝わることにより、情報の正確な読み書きができなくなる上に、ＨＤＤの転送速度が低下してしまうという不具合がある。
【０００４】
これに対し、従来技術として、ＨＤＤ（ＨＤＤユニット）とＨＤＤホルダとの間に防振部材を設けた状態で、これらＨＤＤとＨＤＤホルダとを筺体内に収容する構成となった電子機器が開示されている。この構成によれば、筺体からＨＤＤホルダに振動が伝わったとしても、この振動がＨＤＤホルダからＨＤＤに伝わるのを防振部材によって抑えることができ、ＨＤＤの転送速度が低下するのを抑えることができる（特許文献１参照）。
【先行技術文献】
【特許文献】
【０００５】
【特許文献１】特開２００３−３１４６１３号公報
【発明の概要】
【発明が解決しようとする課題】
【０００６】
しかし、上述した従来技術では、ＨＤＤとＨＤＤホルダとが防振部材を介して一体化されている。このため、ＨＤＤに対する修理、交換等の保守作業を行うときには、ＨＤＤが取付けられたＨＤＤホルダを筺体の外部に取出し、ＨＤＤホルダから防振部材とＨＤＤとを取外した後、ＨＤＤに対する保守作業を行う必要がある。また、ＨＤＤの保守作業が終了した後には、ＨＤＤホルダに防振部材を介してＨＤＤを取付ける必要がある。
【０００７】
このように、従来技術では、ＨＤＤとＨＤＤホルダとの間に防振部材が設けられているので、ＨＤＤを筺体の外部に取出して保守作業を行うときには、ＨＤＤホルダから防振部材とＨＤＤとを取外し、かつＨＤＤホルダに防振部材を介してＨＤＤを取付けるといった煩雑な作業が必要となり、ＨＤＤに対する保守作業の作業性が低下してしまうという問題がある。
【０００８】
本発明は、上述した従来技術の問題に鑑みなされたもので、記憶装置に外部から伝わる振動を抑制することができ、かつ記億装置に対する保守作業を行うときの作業性を高めることができるようにした電子機器を提供することを目的としている。
【課題を解決するための手段】
【０００９】  上述した課題を解決するため、請求項１の発明による電子機器は、矩形状のボックス体として形成され大容量の情報を記憶する記憶装置と、前記記憶装置が固定的に取付けられる板状体として形成された記憶装置取付具とにより構成された記憶装置ユニットを備えてなる電子機器において、上面、下面、左側面、右側面、前面および後面を有し、前，後方向に延びると共に、前，後方向の前側に開口部を有する枠状に形成され、前記記憶装置ユニットが前記開口部から抜差しされるガイド枠と、前記記憶装置に電気的に着脱可能に接続されるコネクタを有し、前記ガイド枠の前，後方向の他方側に取付けられるコネクタ基板と、上面、下面、左側面、右側面、前面および後面を有し前，後方向に延びるボックス体として形成され、内部に前記ガイド枠を収容する収容ボックスと、前記ガイド枠を前記収容ボックス内に収容し、前記記憶装置ユニットと前記コネクタ基板のコネクタとを接続した状態で、前記収容ボックスの前，後方向の前側から前記記憶装置ユニットを前記ガイド枠に固定する記憶装置ユニット固定部材と、前記ガイド枠の上面と前記収容ボックスの上面との間に設けられ前記記憶装置ユニットを内部に収容した前記ガイド枠を前記収容ボックスに対して弾性的に支持する上防振部材と、前記ガイド枠の下面と前記収容ボックスの下面との間に設けられ前記記憶装置ユニットを内部に収容した前記ガイド枠を前記収容ボックスに対して弾性的に支持する下防振部材とを備え、前記記憶装置ユニットは、前記収容ボックス内に弾性的に支持された前記ガイド枠に対し前記開口部を通じて独立して抜差し可能となっており、前記記憶装置取付具は、前記記憶装置の側面が取付けられる側面板と、前記側面板の上端部から前記記憶装置側に張出す上フランジ板と、前記側面板の下端部から前記記憶装置側に張出す下フランジ板と、前記側面板の前端部に設けられ前記記憶装置の前面と対面する前面板とにより構成され、前記記憶装置取付具の前面板には、前記記憶装置ユニット固定部材が軸方向に抜止めされた状態で回転可能に支持され、前記ガイド枠内には、前記ガイド枠内に前記記憶装置ユニットを抜差しするときに前記記憶装置取付具の上フランジ板および下フランジ板をガイドするガイドレールが設けられ、前記記憶装置ユニットを前記ガイド枠内に収容した状態で、前記記憶装置取付具の前面板は、前記記憶装置ユニット固定部材によって前記ガイド枠の前面に固定されることを特徴としている。【００１０】
請求項２の発明は、前記ガイド枠内には、前記ガイド枠内に前記記憶装置ユニットを抜差しするときに前記記億装置ユニットをガイドするガイドレールを設ける構成としたことにある。
【００１１】
請求項３の発明は、前記上防振部材は、前記ガイド枠の上面と前記収容ボックスの上面との間に配置された上防振体と、前記上防振体を前記ガイド枠に固定する上防振体固定具とにより構成し、前記下防振部材は、前記ガイド枠の下面と前記収容ボックスの下面との間に配置された下防振体と、前記下防振体を前記ガイド枠に固定する下防振体固定具とにより構成したことにある。
【発明の効果】
【００１２】
請求項１の発明によれば、記憶装置取付具に記憶装置を取付けて形成された記憶装置ユニットを、ガイド枠内に収容すると共に、このガイド枠を、上防振部材と下防振部材を介して収容ボックス内に弾性的に支持することができる。これにより、収容ボックスに外部からの振動が伝わったとしても、この振動が記憶装置ユニットに伝わるのを上防振部材と下防振部材とによって抑制することができ、記億装置を振動から保護することができる。
【００１３】
しかも、記憶装置ユニットは、上防振部材と下防振部材を介して収容ボックスに支持されたガイド枠内に収容されているので、記憶装置ユニットを構成する記憶装置と記憶装置取付具との間に防振部材を設ける必要がない。従って、記憶装置に対する保守作業を行うときに、記憶装置ユニットに対して防振部材を取付けたり、取外したりする煩雑な作業を不要にすることができ、記憶装置に対する保守作業の作業性を高めることができる。
【００１４】
一方、ガイド枠の前，後方向の他方側には、記憶装置に接続されるコネクタを有するコネクタ基板が取付けられているので、記憶装置ユニットをガイド枠の前，後方向の一方側からガイド枠内に差込むことにより、コネクタ基板のコネクタと記憶装置とを電気的に接続することができ、記憶装置ユニットをガイド枠の前，後方向の一方側から抜取ることにより、コネクタ基板のコネクタと記憶装置とを切離すことができる。従って、収容ボックス内に収容されたガイド枠に対し、その前，後方向の一方側から記憶装置ユニットを抜差しするだけで、記憶装置とコネクタ基板のコネクタとの間を容易に切離し、または接続することができるので、記憶装置に対する保守作業を行うときの作業性を高めることができる。
【００１５】
請求項２の発明によれば、ガイド枠内に設けられたガイドレールが記憶装置ユニットをガイドすることにより、コネクタ基板のコネクタと記憶装置との接続、切離しを容易に行うことができ、ガイド枠に対して記憶装置ユニットを円滑に抜差しすることができる。
【００１６】
請求項３の発明によれば、上防振体を、上防振体固定具を用いてガイド枠の任意の位置に固定し、下防振体を、下防振体固定具を用いてガイド枠の任意の位置に固定することができるので、ガイド枠への振動の伝達を抑制するのに適した位置に、上防振部材と下防振部材を配置することができる。
【図面の簡単な説明】
【００１７】
【図１】本発明の実施の形態による電子機器を前側からみた斜視図である。
【図２】電子機器を図１中の矢示II−II方向からみた断面図である。
【図３】電子機器を図１中の矢示III−III方向からみた断面図である。
【図４】ＨＤＤユニット、ガイド枠、コネクタ基板、収容ボックス、上弾性部材、下弾性部材、コネクタケーブルを分解した状態を示す分解斜視図である。
【図５】ＨＤＤユニットを構成するＨＤＤとＨＤＤ取付具とを示す分解斜視図である。
【図６】ガイド枠とコネクタ基板とを示す分解斜視図である。
【図７】ガイド枠からコネクタ基板を取外した状態を後側からみた斜視図である。
【図８】収容ボックス、上防振部材、下防振部材を示す分解斜視図である。
【図９】収容ボックス内にガイド枠を収容する状態を示す分解斜視図である。
【図１０】収容ボックス内に収容されたガイド枠内にＨＤＤユニットを差込む状態を示す分解斜視図である。
【図１１】電子機器のコネクタ基板からコネクタケーブルを取外した状態を後側からみた分解斜視図である。
【発明を実施するための形態】
【００１８】
以下、本発明の実施の形態に係る電子機器について、添付図面を参照しつつ詳細に説明する。本実施の形態では、記憶装置としてハードディスクドライブ（ＨＤＤ）を搭載した電子機器を例に挙げて説明する。
【００１９】
図１ないし図４に示すように、本実施の形態による電子機器１は、後述するＨＤＤ２、ＨＤＤ取付具３、ガイド枠６、コネクタ基板７、収容ボックス９、ＨＤＤユニット固定ボルト１０を含んで構成されている。電子機器１は、図１に示すように、全体として直方体に形成され、例えばパーソナルコンピュータの本体部を構成する筺体（いずれも図示せず）内に取付けられ、記憶装置を構成するものである。なお、本実施の形態による電子機器１は、ＨＤＤ２、ＨＤＤ取付具３、コネクタ基板７が２個ずつ設けられている。これら２個のＨＤＤ２、ＨＤＤ取付具３、コネクタ基板７は、それぞれ同一の構成を有している。
【００２０】
記億装置としてのＨＤＤ（ハードディスクドライブ）２は、大容量の情報を記億するものである。ここで、ＨＤＤ２は、全体として矩形状のボックス体からなり、磁性体が塗布された大容量記憶媒体であるハードディスク、ハードディスクを回転させる駆動機構、および磁気ヘッド等を内蔵している。そして、ＨＤＤ２は、磁気ヘッドによってハードディスクに記録された情報を読取り、またはハードディスクに情報を記録するものである。
【００２１】
ここで、図５に示すように、ＨＤＤ２は、上面２Ａ、下面２Ｂ、前面２Ｃ、後面２Ｄ、左側面２Ｅおよび右側面２Ｆを有している。ＨＤＤ２の後面２Ｄの下側には、雌コネクタ２Ｇが設けられ、この雌コネクタ２Ｇは、後述するコネクタ基板７の雄コネクタ７Ａに電気的に接続される。また、ＨＤＤ２の左側面２Ｅの上，下方向の両側には、それぞれ２個（合計４個）の雌ねじ孔２Ｈが形成されている。
【００２２】
記億装置取付具としてのＨＤＤ取付具３は、全体として前，後方向に延びる矩形の板体からなり、ＨＤＤ２が固定的に取付けられるものである。図５に示すように、ＨＤＤ取付具３は、ＨＤＤ２の左側面２Ｅが取付けられる側面板３Ａと、側面板３Ａの上端部からＨＤＤ２側に張出し、ＨＤＤ２の上面２Ａと僅かな隙間をもって対面する上フランジ板３Ｂと、側面板３Ａの下端部からＨＤＤ２側に張出し、ＨＤＤ２の下面２Ｂと僅かな隙間をもって対面する下フランジ板３Ｃと、側面板３Ａの前端部に一体成形されて上，下方向に延び、ＨＤＤ２の前面２Ｃと僅かな隙間をもって対面する前面板３Ｄとにより構成されている。
【００２３】
ＨＤＤ取付具３の側面板３Ａには、ＨＤＤ２の左側面２Ｅに設けられた各雌ねじ孔２Ｈに対応する４個のねじ挿通孔３Ｅが形成され、各ねじ挿通孔３Ｅの周囲は、ＨＤＤ２側に凹んだ凹部３Ｆとなっている。そして、各ねじ挿通孔３Ｅに挿通したＨＤＤ取付ねじ４を、ＨＤＤ２の雌ねじ孔２Ｈに螺着することにより、ＨＤＤ取付具３にＨＤＤ２を取付けた記憶装置ユニットとしてのＨＤＤユニット５が形成される。
【００２４】
ここで、ＨＤＤ取付具３にＨＤＤ２を取付けた状態で、ＨＤＤ取付ねじ４の頭部４Ａは側面板３Ａに形成された凹部３Ｆ内に収納され、この凹部３Ｆの深さ寸法は、ＨＤＤ取付ねじ４の頭部４Ａが側面板３Ａの表面から突出しない寸法に設定されている。一方、ＨＤＤ取付具３の前面板３Ｄの上側には、後述するＨＤＤユニット固定ボルト１０が回転自在に支持されている。また、ＨＤＤ取付具３の側面板３Ａには、軽量化および放熱性を促進するための角穴３Ａ１が設けられている。
【００２５】
ガイド枠６は、全体として前，後方向に延びる枠状体からなり、その内部に２個のＨＤＤユニット５を収容するものである。ガイド枠６は、図６および図７に示すように、上面６Ａ、下面６Ｂ、左側面６Ｃ、右側面６Ｄによって囲まれた角筒状に形成され、前，後方向に延びている。また、左，右の側面６Ｃ，６Ｄには、軽量化および放熱性を促進するための角穴６Ｃ１，６Ｄ１がそれぞれ設けられている。
【００２６】
ここで、ガイド枠６の前，後方向の一方側（前側）には、上面６Ａから上方に張出す上前フランジ板６Ｅと、下面６Ｂから上方に張出す２個の下前フランジ板６Ｆ，６Ｇとが設けられ、これら各前フランジ板６Ｅ，６Ｆ，６Ｇが、ガイド枠６の前面を構成している。一方、ガイド枠６の前，後方向の他方側（後側）には、上面６Ａから下方に張出す上後フランジ板６Ｈと、下面６Ｂから上方に張出す下後フランジ板６Ｊとが設けられ、これら各後フランジ板６Ｈ，６Ｊが、ガイド枠６の後面を構成している。
【００２７】
ガイド枠６の内部は、ＨＤＤユニット５を収容する収容空間６Ｋとなり、ガイド枠６の上前フランジ板６Ｅと下前フランジ板６Ｆ，６Ｇとの間は、収容空間６Ｋに対してＨＤＤユニット５を抜差しするための開口部６Ｌとなっている。
【００２８】
ガイド枠６の上面６Ａには、上，下方向に貫通する上雌ねじ孔６Ｍが、前，後方向に離間して２個設けられ、ガイド枠６の下面６Ｂには、上，下方向に貫通する下雌ねじ孔６Ｎが、前，後方向に離間して２個設けられている。これら２個の上雌ねじ孔６Ｍと下雌ねじ孔６Ｎとは、上，下方向で正対する位置に設けられている。
【００２９】
ガイド枠６の上前フランジ板６Ｅには、前，後方向に貫通する前雌ねじ孔６Ｐが左，右方向に離間して２個設けられている。これら前雌ねじ孔６Ｐは、後述するＨＤＤユニット固定ボルト１０が螺着されるものである。一方、ガイド枠６の上後フランジ板６Ｈには、前，後方向に貫通する後雌ねじ孔６Ｑが左，右方向に離間して４個設けられ、下後フランジ板６Ｊには、前，後方向に貫通する後雌ねじ孔６Ｒが左，右方向に離間して４個設けられている。これら後雌ねじ孔６Ｑ，６Ｒは、後述する基板取付ねじ８が螺着されるものである。
【００３０】
ガイド枠６の上面６Ａには、当該上面６Ａから下向きに突出し、収容空間６Ｋ内を前，後方向に直線的に延びる３本の上ガイドレール６Ａ１，６Ａ２，６Ａ３が設けられている。また、ガイド枠６の下面６Ｂには、当該下面６Ｂから上向きに突出し、収容空間６Ｋ内を前，後方向に直線的に延びる３本の下ガイドレール６Ｂ１，６Ｂ２，６Ｂ３が設けられている。上面６Ａに設けられた３本の上ガイドレール６Ａ１，６Ａ２，６Ａ３と、下面６Ｂに設けられた３本の下ガイドレール６Ｂ１，６Ｂ２，６Ｂ３とは、上，下方向で正対している（図２参照）。
【００３１】
ここで、図２に示すように、ＨＤＤ取付具３の上フランジ板３Ｂの左，右方向の幅寸法と下フランジ板３Ｃの左，右方向の幅寸法とは、等しい幅寸法Ｘを有している。また、ガイド枠６の左側面６Ｃと上ガイドレール６Ａ１との左，右方向の間隔寸法と左側面６Ｃと下ガイドレール６Ｂ１との左，右方向の間隔寸法とは、等しい間隔寸法Ｙを有している。そして、前記間隔寸法Ｙは、前記幅寸法Ｘよりも僅かに大きく設定されている。これにより、図４中の左側のＨＤＤユニット５を、ガイド枠６の開口部６Ｌを通じて収容空間６Ｋに対して抜差しするときに、ＨＤＤ取付具３の上フランジ板３Ｂは、ガイド枠６の左側面６Ｃと上ガイドレール６Ａ１との間に挟込まれた状態で両者にガイドされつつ前，後方向に移動し、下フランジ板３Ｃは、ガイド枠６の左側面６Ｃと下ガイドレール６Ｂ１との間に挟込まれた状態で両者にガイドされつつ前，後方向に移動することができる。
【００３２】
一方、ガイド枠６の上ガイドレール６Ａ２，６Ａ３間の左，右方向の間隔寸法と、下ガイドレール６Ｂ２，６Ｂ３間の左，右方向の間隔寸法とは、等しい間隔寸法Ｙを有し、前記間隔寸法Ｙは、前記幅寸法Ｘよりも僅かに大きく設定されている。これにより、図４中の右側のＨＤＤユニット５を、ガイド枠６の開口部６Ｌを通じて収容空間６Ｋに対して抜差しするときに、ＨＤＤ取付具３の上フランジ板３Ｂは、ガイド枠６の上ガイドレール６Ａ２，６Ａ３間に挟込まれた状態で両者にガイドされつつ前，後方向に移動し、下フランジ板３Ｃは、ガイド枠６の下ガイドレール６Ｂ２，６Ｂ３間に挟込まれた状態で両者にガイドされつつ前，後方向に移動することができる。
【００３３】
また、ガイド枠６の左側面６Ｃと下前フランジ板６Ｆの左端部との間隔と、下前フランジ板６Ｆの右端部と下前フランジ板６Ｇの左端部との間隔は、前記間隔寸法Ｙと等しいか、僅かに大きく設定されている。これにより、図４中の左側のＨＤＤユニット５を構成するＨＤＤ取付具３の下フランジ板３Ｃは、ガイド枠６の左側面６Ｃと下前フランジ板６Ｆとにガイドされ、ガイド枠６の左側面６Ｃと下ガイドレール６Ｂ１との間に円滑に導かれる。同様に、図４中の右側のＨＤＤユニット５を構成するＨＤＤ取付具３の下フランジ板３Ｃは、下前フランジ板６Ｆ，６Ｇによってガイドされ、下ガイドレール６Ｂ２，６Ｂ３間に円滑に導かれる。
【００３４】
コネクタ基板７は、ガイド枠６の前，後方向の他方側（後側）に取付けられている。このコネクタ基板７は、上，下方向に延びる長方形の板体からなり、その前面側（ガイド枠６側）には、ＨＤＤ２の雌コネクタ２Ｇに電気的に接続される雄コネクタ７Ａが設けられている。また、コネクタ基板７の後面側には、後述するコネクタケーブル１３が接続される雌コネクタ７Ｂ，７Ｃが設けられている。一方、コネクタ基板７の上端側には、前，後方向に貫通するねじ挿通孔７Ｄが、左，右方向に離間して２個設けられ、コネクタ基板７の下端側には、前，後方向に貫通するねじ挿通孔７Ｅが、左，右方向に離間して２個設けられている。これら各ねじ挿通孔７Ｄ，７Ｅは、ガイド枠６の上，下の後フランジ板６Ｈ，６Ｊに設けられた後雌ねじ孔６Ｑ，６Ｒに対応している。
【００３５】
従って、コネクタ基板７のねじ挿通孔７Ｄに挿通された基板取付ねじ８を、ガイド枠６の後雌ねじ孔６Ｑに螺着すると共に、コネクタ基板７のねじ挿通孔７Ｅに挿通された基板取付ねじ８を、ガイド枠６の後雌ねじ孔６Ｒに螺着することにより、ガイド枠６の後端部（上後フランジ板６Ｈと下後フランジ板６Ｊ）にコネクタ基板７を取付けることができる。
【００３６】
そして、ガイド枠６の後端部にコネクタ基板７を取付けた状態で、ＨＤＤユニット５を、ガイド枠６の開口部６Ｌを通じて収容空間６Ｋ内に差込むことにより、ＨＤＤユニット５のＨＤＤ２に設けられた雌コネクタ２Ｇと、コネクタ基板７に設けられた雄コネクタ７Ａとを電気的に接続することができる構成となっている。
【００３７】
収容ボックス９は、パーソナルコンピュータの本体部を構成する筺体（いずれも図示せず）の内部に取付けられるもので、収容ボックス９の内部にはガイド枠６が収容される。収容ボックス９は、図８に示すように、上面９Ａ、下面９Ｂ、左側面９Ｃ、右側面９Ｄによって囲まれた、ガイド枠６よりも一回り大きな角筒状に形成され、前，後方向に延びている。また、左，右の側面９Ｃ，９Ｄには、軽量化および放熱性を促進するための角穴９Ｃ１，９Ｄ１がそれぞれ設けられている。
【００３８】
ここで、収容ボックス９の前，後方向の一側（前側）には、上面９Ａから上方に張出す補強用の上前フランジ板９Ｅと、下面９Ｂから下方に張出す補強用の下前フランジ板９Ｆとが設けられ、これら各前フランジ板９Ｅ，９Ｆが、収容ボックス９の前面を構成している。一方、収容ボックス９の前，後方向の他方側（後側）には、上面９Ａから下方に張出す上後フランジ板９Ｇ（図３参照）と、下面９Ｂから上方に張出す下後フランジ板９Ｈとが設けられ、これら各後フランジ板９Ｇ，９Ｈが、収容ボックス９の後面を構成している。また、収容ボックス９の内部は、ガイド枠６を収容する収容空間９Ｊとなっている。
【００３９】
収容ボックス９の上面９Ａには、左，右方向の中央部を前，後方向に延びる矩形状のスリット９Ｋが形成され、スリット９Ｋの前，後方向の両端側には、後述の上防振体１１Ａが取付けられる円形状の防振体取付孔９Ｌが設けられている。ここで、スリット９Ｋと防振体取付孔９Ｌとの間は、防振体取付孔９Ｌの孔径よりも小さな溝幅を有する切欠き溝９Ｍを介して連通している。これにより、上防振体１１Ａを、スリット９Ｋから切欠き溝９Ｍを通じて防振体取付孔９Ｌ内に挿入することができる。一方、収容ボックス９の下面９Ｂには、上面９Ａと同様に、前，後方向に延びるスリット９Ｎと、スリット９Ｎの前，後方向の両端側に配置された防振体取付孔９Ｐと、スリット９Ｎと防振体取付孔９Ｐとの間を連通させる切欠き溝９Ｑが設けられている。
【００４０】
記億装置ユニット固定部材としてのＨＤＤユニット固定ボルト１０は、ＨＤＤ取付具３を構成する前面板３Ｄの上側に設けられている。図３および図４に示すように、ＨＤＤユニット固定ボルト１０は、ガイド枠６の上前フランジ板６Ｅに設けられた前雌ねじ孔６Ｐに螺着される雄ねじ部１０Ａと、ＨＤＤ取付具３の前面板３Ｄの外部に突出した円柱状の摘み部１０Ｂとにより構成されている。このＨＤＤユニット固定ボルト１０は、ＨＤＤ取付具３の前面板３Ｄに対し、軸方向に抜止めされた状態で回転可能に支持されている。
【００４１】
そして、図１０に示すように、後述の上防振部材１１と下防振部材１２を介してガイド枠６を収容ボックス９内に収容した状態で、ＨＤＤユニット固定ボルト１０の摘み部１０Ｂを回転させることにより、雄ねじ部１０Ａがガイド枠６（上前フランジ板６Ｅ）の前雌ねじ孔６Ｐに螺着され、ガイド枠６に対してＨＤＤユニット５を固定することができる。
【００４２】
上防振部材１１は、ガイド枠６の上面６Ａと収容ボックス９の上面９Ａとの間に２個設けられ、収容ボックス９の上面９Ａに対してガイド枠６の上面６Ａを弾性的に固定するものである。ここで、図３および図８に示すように、各上防振部材１１は、上防振体１１Ａと、上防振体固定具１１Ｂとにより構成されている。
【００４３】
上防振体１１Ａは、ガイド枠６の上面６Ａと収容ボックス９の上面９Ａとの間に配置されるもので、ゴム等の弾性材料を用いて円筒状に形成されている。上防振体１１Ａの内周側は、上防振体固定具１１Ｂが挿通される固定具挿通孔１１Ａ１となっている。上防振体１１Ａの軸方向の中間部は、軸方向の両側よりも小径な小径円筒部１１Ａ２となり、この小径円筒部１１Ａ２の外周を、収容ボックス９の上面９Ａに設けられた防振体取付孔９Ｌに挿嵌することにより、収容ボックス９の上面９Ａに対して上防振体１１Ａを位置決めすることができる。
【００４４】
上防振体固定具１１Ｂは、上防振体１１Ａをガイド枠６の上面６Ａに固定するもので、ガイド枠６（上面６Ａ）の上雌ねじ孔６Ｍに螺着される雄ねじ部１１Ｂ１と、雄ねじ部１１Ｂ１よりも大径な円柱状をなし上防振体１１Ａの固定具挿通孔１１Ａ１内に挿通される円柱部１１Ｂ２と、上防振体１１Ａとほぼ等しい外径寸法を有しドライバ等の工具によって回転される鍔付き頭部１１Ｂ３とにより構成されている。
【００４５】
そして、ガイド枠６の上面６Ａと収容ボックス９の上面９Ａとの間に上防振体１１Ａを配置した状態で、上防振体１１Ａの固定具挿通孔１１Ａ１内に上防振体固定具１１Ｂの円柱部１１Ｂ２を挿通し、上防振体固定具１１Ｂの雄ねじ部１１Ｂ１をガイド枠６の上雌ねじ孔６Ｍに螺着する。これにより、円柱部１１Ｂ２の端部がガイド枠６の上面６Ａに当接した状態で、上防振体１１Ａをガイド枠６の上面６Ａに対して固定することができる。
【００４６】
下防振部材１２は、ガイド枠６の下面６Ｂと収容ボックス９の下面９Ｂとの間に設けられ、収容ボックス９の下面９Ｂに対してガイド枠６の下面６Ｂを弾性的に固定するものである。ここで、下防振部材１２は、上防振部材１１と同様に、ガイド枠６の下面６Ｂと収容ボックス９の下面９Ｂとの間に配置される下防振体１２Ａと、下防振体１２Ａをガイド枠６の下面６Ｂに固定する下防振体固定具１２Ｂとにより構成されている。下防振体１２Ａの内周側は固定具挿通孔１２Ａ１となり、下防振体１２Ａの軸方向の中間部は小径円筒部１２Ａ２となっている。下防振体固定具１２Ｂは、雄ねじ部１２Ｂ１と、円柱部１２Ｂ２と、鍔付き頭部１２Ｂ３とにより構成されている。
【００４７】
そして、ガイド枠６の下面６Ｂと収容ボックス９の下面９Ｂとの間に下防振体１２Ａを配置した状態で、下防振体１２Ａの固定具挿通孔１２Ａ１内に下防振体固定具１２Ｂの円柱部１２Ｂ２を挿通し、下防振体固定具１２Ｂの雄ねじ部１２Ｂ１をガイド枠６の下雌ねじ孔６Ｎに螺着することにより、下防振体１２Ａをガイド枠６の下面６Ｂに対して固定することができる。
【００４８】
従って、図２および図３に示すように、コネクタ基板７が取付けられると共にＨＤＤユニット５を内部に収容したガイド枠６は、上防振部材１１と下防振部材１２を介して収容ボックス９内に収容され、これら上防振部材１１と下防振部材１２とによって収容ボックス９に対して弾性的に支持されている。これにより、外部（例えば収容ボックス９が取付けられる筺体等）から収容ボックス９に振動が伝わったとしても、この振動がＨＤＤユニット５に伝わるのを上防振部材１１と下防振部材１２とによって抑制することができる。
【００４９】
コネクタケーブル１３は、コネクタ基板７を介してパーソナルコンピュータ（図示せず）の電源部および制御部とＨＤＤ２との間を電気的に接続するものである。ここで、コネクタケーブル１３は、制御用ケーブル１３Ａと電源用ケーブル１３Ｂとにより構成されている。制御用ケーブル１３Ａの一端側は制御部に接続され、他端側はコネクタ基板７の一方の雌コネクタ７Ｂに接続される。電源用ケーブル１３Ｂの一端側は電源部に接続され、他端側はコネクタ基板７の他方の雌コネクタ７Ｃに接続される。
【００５０】
本実施の形態による電子機器１は、上述の如き構成を有するもので、以下、電子機器１の組立手順の一例について説明する。
【００５１】
まず、図５に示すように、ＨＤＤ２をＨＤＤ取付具３に取付けることにより、ＨＤＤユニット５を形成する。即ち、ＨＤＤ取付具３の側面板３Ａに設けられた各ねじ挿通孔３ＥにＨＤＤ取付ねじ４を挿通し、このＨＤＤ取付ねじ４を、ＨＤＤ２の左側面２Ｅに設けられた雌ねじ孔２Ｈに螺着する。これにより、ＨＤＤ取付具３にＨＤＤ２を取付けたＨＤＤユニット５が形成される。
【００５２】
次に、図６および図７に示すように、ガイド枠６の後端部にコネクタ基板７を取付ける。即ち、コネクタ基板７の上端側に設けられたねじ挿通孔７Ｄに、基板取付ねじ８を挿通し、この基板取付ねじ８を、ガイド枠６の上後フランジ板６Ｈに設けられた後雌ねじ孔６Ｑに螺着する。また、コネクタ基板７の下端側に設けられたねじ挿通孔７Ｅに、基板取付ねじ８を挿通し、この基板取付ねじ８を、ガイド枠６の下後フランジ板６Ｊに設けられた後雌ねじ孔６Ｒに螺着する。これにより、ガイド枠６の後端部にコネクタ基板７を取付けることができ、コネクタ基板７に設けられた雄コネクタ７Ａは、ガイド枠６の収容空間６Ｋ内に突出する。
【００５３】
次に、図９に示すように、コネクタ基板７が取付けられたガイド枠６を、上防振部材１１および下防振部材１２を介して収容ボックス９の収容空間９Ｊ内に収容する。即ち、収容ボックス９の上面９Ａに形成された防振体取付孔９Ｌに上防振体１１Ａを挿嵌すると共に、収容ボックス９の下面９Ｂに形成された防振体取付孔９Ｐに、下防振体１２Ａを挿嵌する。これにより、収容ボックス９の上面９Ａに対して２個の上防振体１１Ａを位置決めし、収容ボックス９の下面９Ｂに対して２個の下防振体１２Ａを位置決めすることができる。
【００５４】
この状態で、収容ボックス９の収容空間９Ｊ内にガイド枠６を差込み、上防振体１１Ａの固定具挿通孔１１Ａ１に上防振体固定具１１Ｂを挿通すると共に、下防振体１２Ａの固定具挿通孔１２Ａ１に下防振体固定具１２Ｂを挿通する。そして、上防振体固定具１１Ｂの雄ねじ部１１Ｂ１を、ガイド枠６の上面６Ａに設けられた上雌ねじ孔６Ｍに螺着すると共に、下防振体固定具１２Ｂの雄ねじ部１２Ｂ１を、ガイド枠６の下面６Ｂに設けられた下雌ねじ孔６Ｎに螺着する。これにより、図３に示すように、ガイド枠６を、２個の上防振体１１Ａと２個の下防振体１２Ａを介して、収容ボックス９の収容空間９Ｊ内で弾性的に固定（支持）することができる。
【００５５】
次に、図１０に示すように、収容ボックス９内に弾性的に支持されたガイド枠６内に、２個のＨＤＤユニット５を収容する。即ち、２個のＨＤＤユニット５を、それぞれガイド枠６の開口部６Ｌを通じて収容空間６Ｋ内に差込む。ここで、図１０中の左側のＨＤＤユニット５をガイド枠６内に差込むときには、ＨＤＤユニット５を構成するＨＤＤ取付具３の上フランジ板３Ｂは、ガイド枠６の左側面６Ｃと上ガイドレール６Ａ１とにガイドされつつ後方へと移動し、下フランジ板３Ｃは、ガイド枠６の左側面６Ｃと下ガイドレール６Ｂ１とにガイドされつつ後方へと移動する（図２参照）。一方、図１０中の右側のＨＤＤユニット５をガイド枠６内に差込むときには、ＨＤＤユニット５を構成するＨＤＤ取付具３の上フランジ板３Ｂは、ガイド枠６の上ガイドレール６Ａ２，６Ａ３にガイドされつつ後方へと移動し、下フランジ板３Ｃは、ガイド枠６の下ガイドレール６Ｂ２，６Ｂ３にガイドされつつ後方へと移動する（図２参照）。
【００５６】
そして、ＨＤＤユニット５を構成するＨＤＤ取付具３の前面板３Ｄが、ガイド枠６の上前フランジ板６Ｅに当接した状態で、ＨＤＤユニット５を構成するＨＤＤ２の雌コネクタ２Ｇと、ガイド枠６に取付けられたコネクタ基板７の雄コネクタ７Ａとが電気的に接続される。
【００５７】
このように、ガイド枠６内に３本の上ガイドレール６Ａ１，６Ａ２，６Ａ３と、３本の下ガイドレール６Ｂ１，６Ｂ２，６Ｂ３とを設けることにより、ＨＤＤユニット５を常に一定の軌道に沿ってガイド枠６内に差込むことができる。この結果、ＨＤＤユニット５をガイド枠６の開口部６Ｌを通じて収容空間６Ｋ内に差込むだけで、ＨＤＤ２に設けられた雌コネクタ２Ｇと、ガイド枠６に取付けられたコネクタ基板７の雄コネクタ７Ａとを確実に接続することができる。
【００５８】
そして、ＨＤＤユニット５がガイド枠６内に収容された状態で、ＨＤＤユニット固定ボルト１０の摘み部１０Ｂを回転させ、雄ねじ部１０Ａをガイド枠６（上前フランジ板６Ｅ）の前雌ねじ孔６Ｐに螺着することにより、ＨＤＤユニット５をガイド枠６に対して固定することができる。
【００５９】
一方、ＨＤＤユニット５をガイド枠６から抜取る場合には、ＨＤＤユニット固定ボルト１０の摘み部１０Ｂを逆方向に回転させ、雄ねじ部１０Ａを上前フランジ板６Ｅの前雌ねじ孔６Ｐから離脱させた状態で、ＨＤＤユニット５をガイド枠６から前方に引抜く。これにより、ＨＤＤ２の雌コネクタ２Ｇを、ガイド枠６に取付けられたコネクタ基板７の雄コネクタ７Ａから容易に離脱させることができる。これにより、ＨＤＤユニット５は、ガイド枠６内に設けられた３本の上ガイドレール６Ａ１，６Ａ２，６Ａ３と、３本の下ガイドレール６Ｂ１，６Ｂ２，６Ｂ３とに沿って一定の軌道上を移動するので、ＨＤＤユニット５を、ガイド枠６の開口部６Ｌを通じてガイド枠６の外部（前側）に容易に抜取ることができる。
【００６０】
かくして、本実施の形態による電子機器１は、ＨＤＤユニット５を収容したガイド枠６を、上防振部材１１と下防振部材１２を介して収容ボックス９に弾性的に支持することができる。従って、収容ボックス９に外部（例えば収容ボックス９が取付けられる筺体等）からの振動が伝わったとしても、この振動がＨＤＤユニット５に伝わるのを上防振部材１１と下防振部材１２とによって抑制することができ、ＨＤＤ２を振動から保護することができる。
【００６１】
この結果、ＨＤＤ２の転送速度が振動によって低下するのを抑えることができ、ＨＤＤ２を安定して作動させることができる。また、ＨＤＤ２を構成するハードディスクと磁気ヘッドとが振動によって衝突するのを防止することができ、ＨＤＤ２の寿命を延ばすことができる。さらに、ＨＤＤ２の雌コネクタ２Ｇとコネクタ基板７の雄コネクタ７Ａとの接続部に対して振動が伝わるのを抑えることができるので、雌コネクタ２Ｇと雄コネクタ７Ａとの接触不良を防止することができ、ＨＤＤ２を安定して作動させることができる。なお、ＨＤＤ２以外の他の記億装置をガイド枠６に収容し、上防振部材１１と下防振部材１２を介して収容ボックス９に弾性的に支持した場合でも、この記憶装置に振動が伝わるのを防止し、記憶装置を安定して作動させることができる。
【００６２】
この場合、ガイド枠６は、その上面６Ａが上防振部材１１を介して収容ボックス９の上面９Ａに取付けられると共に、下面６Ｂが下防振部材１２を介して収容ボックス９の下面９Ｂに取付けられている。これにより、ガイド枠６は、上，下方向の両端側が収容ボックス９に支持されるので、例えば上，下方向の一端側のみが防振部材を介して支持され、他端側が自由端になる場合に比較して、ガイド枠６を収容ボックス９に対して強固に支持することができ、ガイド枠６に伝わる振動を抑制することができる。
【００６３】
しかも、ＨＤＤユニット５は、上防振部材１１と下防振部材１２を介して収容ボックス９に支持されたガイド枠６の収容空間６Ｋ内に収容されているので、ＨＤＤユニット５を構成するＨＤＤとＨＤＤ取付具との間に防振部材を設ける必要がない。従って、ＨＤＤ２に対して修理、交換等の保守作業を行うときには、ガイド枠６の開口部６Ｌを通じてＨＤＤユニット５を取出すだけで（防振部材を取外す作業を伴うことなく）、容易にＨＤＤ２に対する保守作業を行うことができる。また、保守作業が終了した後には、ＨＤＤユニット５をガイド枠６内に差込むだけで（防振部材を取付ける作業を伴うことなく）、ＨＤＤユニット５をガイド枠６の収容空間６Ｋ内に収容することができる。この結果、ＨＤＤ２に対する保守作業の作業性を高めることができる。
【００６４】
さらに、ガイド枠６の前，後方向の一方側（前側）には、ＨＤＤユニット５を抜差しする開口部６Ｌが設けられ、ガイド枠６の前，後方向の他方側（後側）には、ＨＤＤ２の雌コネクタ２Ｇに接続される雄コネクタ７Ａを備えたコネクタ基板７が取付けられている。このため、ＨＤＤユニット５をガイド枠６の開口部６Ｌを通じて収容空間６Ｋ内に差込むことにより、ＨＤＤ２の雌コネクタ２Ｇとコネクタ基板７の雄コネクタ７Ａとを容易に接続することができる。また、ＨＤＤユニット５をガイド枠６の開口部６Ｌを通じて外部に抜取ることにより、ＨＤＤ２の雌コネクタ２Ｇとコネクタ基板７の雄コネクタ７Ａとを容易に切離すことができる。この結果、収容ボックス９内に収容されたガイド枠６に対し、その前側からＨＤＤユニット５を抜差しするだけで、ＨＤＤ２の雌コネクタ２Ｇとコネクタ基板７の雄コネクタ７Ａとの間を容易に切離し、または接続することができ、ＨＤＤ２に対する保守作業を前面作業（前面保守作業）として行うことができるので、その作業性を高めることができる。
【００６５】
一方、本実施の形態による電子機器１は、ガイド枠６の収容空間６Ｋ内に３本の上ガイドレール６Ａ１，６Ａ２，６Ａ３と、３本の下ガイドレール６Ｂ１，６Ｂ２，６Ｂ３とを設ける構成としている。従って、ＨＤＤユニット５は、上ガイドレール６Ａ１〜６Ａ３および下ガイドレール６Ｂ１〜６Ｂ３にガイドされることにより、常に一定の軌道に沿ってガイド枠６の収容空間６Ｋ内に挿入される。この結果、ＨＤＤユニット５をガイド枠６の開口部６Ｌを通じて収容空間６Ｋ内に差込むだけで、ＨＤＤ２に設けられた雌コネクタ２Ｇと、ガイド枠６に取付けられたコネクタ基板７の雄コネクタ７Ａとを確実に接続することができる。
【００６６】
さらに、上防振部材１１を、ガイド枠６の上面６Ａと収容ボックス９の上面９Ａとの間に配置された上防振体１１Ａと、上防振体１１Ａをガイド枠６の上面６Ａに固定する上防振体固定具１１Ｂとにより構成し、下防振部材１２を、ガイド枠６の下面６Ｂと収容ボックス９の下面９Ｂとの間に配置された下防振体１２Ａと、下防振体１２Ａをガイド枠６の下面６Ｂに固定する下防振体固定具１２Ｂとにより構成している。これにより、上防振体１１Ａを、上防振体固定具１１Ｂを用いてガイド枠６の任意の位置に固定し、下防振体１２Ａを、下防振体固定具１２Ｂを用いてガイド枠６の任意の位置に固定することができるので、ガイド枠６への振動の伝達を抑制するのに適した位置に、上防振部材１１と下防振部材１２を配置することができる。
【００６７】
なお、上述した実施の形態では、ガイド枠６と収容ボックス９との間に、２個の上防振部材１１と２個の下防振部材１２とを設けた場合を例示している。しかし、本発明はこれに限らず、例えば１個または３個以上の上防振部材１１を設け、１個または３個以上の下防振部材１２を設ける構成としてもよい。
【００６８】
また、上述した実施の形態では、２個のＨＤＤユニット５を搭載した電子機器１を例示したが、本発明はこれに限らず、例えば３個以上のＨＤＤユニットを搭載した電子機器にも適用することができる。この場合には、ＨＤＤユニットの個数に応じて、ガイド枠６に設けられる上ガイドレール６Ａ１および下ガイドレール６Ｂ１の個数、コネクタ基板７の個数、上防振部材１１および下防振部材１２の個数を適宜に増やせばよい。
【００６９】
また、上述した実施の形態では、電子機器１に搭載される記憶装置として、ＨＤＤを用いた場合を例示している。しかし、本発明はこれに限らず、例えばＳＳＤ（ソリッドステートドライブ）、ＣＦカード等の他の記憶装置を搭載した電子機器にも広く適用することができる。
【００７０】
さらに、上述した実施の形態では、電子機器１を、パーソナルコンピュータの記憶装置として用いた場合を例示したが、本発明はこれに限らず、例えばビデオデッキ、ビデオカメラ等の記憶装置として用いてもよい。
【符号の説明】
【００７１】
２  ＨＤＤ（記憶装置）
３  ＨＤＤ取付具（記憶装置取付具）
５  ＨＤＤユニット（記憶装置ユニット）
６  ガイド枠
６Ａ，９Ａ  上面
６Ａ１，６Ａ２，６Ａ３  上ガイドレール
６Ｂ，９Ｂ  下面
６Ｂ１，６Ｂ２，６Ｂ３  下ガイドレール
６Ｃ，９Ｃ  左側面
６Ｄ，９Ｄ  右側面
６Ｅ，９Ｅ  上前フランジ板（前面）
６Ｆ，６Ｇ，９Ｆ  下前フランジ板（前面）
６Ｈ，９Ｇ  上後フランジ板（後面）
６Ｊ，９Ｈ  下後フランジ板（後面）
７  コネクタ基板
９  収容ボックス
１０  ＨＤＤユニット固定ボルト（記憶装置ユニット固定部材）
１１  上防振部材
１１Ａ  上防振体
１１Ｂ  上防振体固定具
１２  下防振部材
１２Ａ  下防振体
１２Ｂ  下防振体固定具
【図１】
0006709402.tif 000002
【図２】
0006709402.tif 000003
【図３】
0006709402.tif 000004
【図４】
0006709402.tif 000005
【図５】
0006709402.tif 000006
【図６】
0006709402.tif 000007
【図７】
0006709402.tif 000008
【図８】
0006709402.tif 000009
【図９】
0006709402.tif 000010
【図１０】
0006709402.tif 000011
【図１１】
0006709402.tif 000012